(57)【要約】【課題】押下げレバーに対する所要の押下げ操作力を低減することができるエアゾール容器用吐出具を提供する。【解決手段】エアゾール容器用吐出具１は、ノズル４０と、ノズル４０の少なくとも一部を覆うカバー６０と、を有し、ノズル４０は、内容物の吐出口４３ａを前端に備えた吐出筒４３を有し、カバー６０は、エアゾール容器２のマウンティングカップ２ｂに固定されてマウンティングカップ２ｂを包囲する固定部６１と、マウンティングカップ２ｂより後方で固定部６１から少なくとも後方に延在する指掛け部２３と、指掛け部２３の直上に配置される操作部３５を備えるとともに、操作部３５に対する押下げ操作により、ヒンジ７０を中心に回動することでノズル４０を押下げる押下げレバー６２と、を有する。【選択図】図１
2020055554.tif 000002
【特許請求の範囲】
【請求項１】
エアゾール容器のステムに取り付けられるノズルと、
前記ノズルの少なくとも一部を覆うカバーと、を有し、
前記ノズルは、内容物の吐出口を前端に備えた吐出筒を有し、
前記カバーは、
前記エアゾール容器のマウンティングカップに固定されて前記マウンティングカップを包囲する固定部と、
前記マウンティングカップより後方で前記固定部から少なくとも後方に延在するとともに下方から指掛け可能な指掛け部と、
前記指掛け部の直上に配置される操作部を備えるとともに、前記操作部に対する押下げ操作により、前記ステムより前方に位置するヒンジを中心に回動することで前記ノズルを押下げる押下げレバーと、を有する、
エアゾール容器用吐出具。
【請求項２】
前記指掛け部は、
前記固定部から後方に延在する後方延在部と、
前記後方延在部の後部から下方に延在する下方延在部と、を有する、
請求項１に記載のエアゾール容器用吐出具。
【請求項３】
前記押下げレバーは、前記操作部が前記指掛け部の直上に配置される閉位置と前記押下げレバーが前記ノズルの直上から離れる開位置との間で回動可能であり、
前記ノズルは、前記カバーと別体に形成され、前記押下げレバーが前記開位置にあるときに前記カバーから取り出し可能である、
請求項１又は２に記載のエアゾール容器用吐出具。
【請求項４】
前記カバーは、前記固定部から上方に延在するとともに前記ノズルの両側方の一部を覆う一対の側方カバー部を有し、
前記一対の側方カバー部は、それぞれ、上方及び側方に開放する切欠き部を有し、
前記ノズルは、前記一対の側方カバー部の前記切欠き部に配置される一対の摘み部を有する、
請求項３に記載のエアゾール容器用吐出具。
【請求項５】
前記ノズルは、前記接続筒と前記吐出筒との間に設けられるとともに前記内容物の流路を開閉可能なベース部を有する、
請求項３又は４に記載のエアゾール容器用吐出具。
【請求項６】
前記押下げレバーの押下げを阻止するロック位置に配置可能なストッパをさらに有し、
前記ストッパは、前記指掛け部と前記操作部とに挟まれることで前記押下げレバーの押下げを阻止するストッパ本体部を有する、
請求項１〜５の何れか一項に記載のエアゾール容器用吐出具。
【請求項７】
前記ストッパは、前記ロック位置において前記ストッパ本体部から前記ノズルの直下と前記固定部の直上とを通って前方に延在するロッドを有する、
請求項６に記載のエアゾール容器用吐出具。
【請求項８】
前記ストッパは、前記ストッパ本体部から延在する塗布体を有する、
請求項６又は７に記載のエアゾール容器用吐出具。
【請求項９】
前記カバーは、
前記マウンティングカップに固定される固定盤と、
前記固定盤に固定されるカバー本体部材と、
前記カバー本体部材に前記ヒンジを介して取り付けられる押下げレバー部材と、を有する、
請求項１〜８の何れか一項に記載のエアゾール容器用吐出具。
【請求項１０】
前記カバーは、
前記マウンティングカップに固定されるカバー本体部材と、
前記カバー本体部材に前記ヒンジを介して取り付けられる押下げレバー部材と、を有する、
請求項１〜８の何れか一項に記載のエアゾール容器用吐出具。
【請求項１１】
前記エアゾール容器は、２本の前記ステムを有する、
請求項１〜１０の何れか一項に記載のエアゾール容器用吐出具。
【発明の詳細な説明】
【技術分野】
【０００１】
本発明は、エアゾール容器用吐出具に関する。
【背景技術】
【０００２】
従来、内容物とともに加圧ガスを収容しておき、ステムを押し下げることで内容物を当該ステムから外部に吐出させるようにしたエアゾール容器が知られている。このようなエアゾール容器としては、１つの容器内に一の内容物を収容するとともに１本のステムを有するシングルタイプのもの、シングルタイプの容器を左右に並べて１組とした二連タイプのものの他、１つの容器内に２種類の内容物を別個に収容するとともにそれぞれの内容物に対応した２本のステムを備えたタイプのものがあるが、何れのタイプのものも、内容物を吐出させる操作を容易にするために、吐出具を装着して使用されるのが一般的である。
【０００３】
エアゾール用スパウトとも呼ばれるエアゾール容器用吐出具としては、ステムに着脱自在に取り付けられるノズルと、エアゾール容器のマウンティングカップに固定されてマウンティングカップを包囲する固定部を備えるとともにノズルの少なくとも一部を覆うカバーと、を有し、カバーに設けられた押下げレバーを押下げ操作することにより、ノズルとともにステムを押し下げて内容物をノズルから外部に向けて吐出させることができるようにしたものが知られている（例えば特許文献１参照）。
【先行技術文献】
【特許文献】
【０００４】
【特許文献１】特開２０１５−００９８３７号公報
【発明の概要】
【発明が解決しようとする課題】
【０００５】
しかし、上記従来のエアゾール容器用吐出具では、押下げ操作を受ける押下げレバーの操作部がカバーの固定部の直上に位置する構成であるので、押下げレバーの押下げ操作に要する操作力が大きいという問題点があった。特に、このような所要の押下げ操作力が大きいと、ステムの十分な押下げ量が得られず、例えば内容物が染毛剤である場合などにおいては２本のステムから吐出される第１剤と第２剤との吐出バランスを確保し難い惧れがある。
【０００６】
本発明は、このような問題点を解決することを課題とするものであり、その目的は、押下げレバーに対する所要の押下げ操作力を低減することができるエアゾール容器用吐出具を提供することにある。
【課題を解決するための手段】
【０００７】
本発明の一態様に係るエアゾール容器用吐出具は、
エアゾール容器のステムに取り付けられるノズルと、
前記ノズルの少なくとも一部を覆うカバーと、を有し、
前記ノズルは、内容物の吐出口を前端に備えた吐出筒を有し、
前記カバーは、
前記エアゾール容器のマウンティングカップに固定されて前記マウンティングカップを包囲する固定部と、
前記マウンティングカップより後方で前記固定部から少なくとも後方に延在するとともに下方から指掛け可能な指掛け部と、
前記指掛け部の直上に配置される操作部を備えるとともに、前記操作部に対する押下げ操作により、前記ステムより前方に位置するヒンジを中心に回動することで前記ノズルを押下げる押下げレバーと、を有する。
【０００８】
本発明に係るエアゾール容器用吐出具は、
前記指掛け部が、
前記固定部から後方に延在する後方延在部と、
前記後方延在部の後部から下方に延在する下方延在部と、を有してもよい。
【０００９】
本発明に係るエアゾール容器用吐出具は、
前記押下げレバーが、前記操作部が前記指掛け部の直上に配置される閉位置と前記押下げレバーが前記ノズルの直上から離れる開位置との間で回動可能であってもよく、
前記ノズルは、前記カバーと別体に形成され、前記押下げレバーが前記開位置にあるときに前記カバーから取り出し可能であってもよい。
【００１０】
本発明に係るエアゾール容器用吐出具は、
前記カバーが、前記固定部から上方に延在するとともに前記ノズルの両側方の一部を覆う一対の側方カバー部を有してもよく、
前記一対の側方カバー部が、それぞれ、上方及び側方に開放する切欠き部を有してもよく、
前記ノズルが、前記一対の側方カバー部の前記切欠き部に配置される一対の摘み部を有してもよい。
【００１１】
本発明に係るエアゾール容器用吐出具は、前記ノズルが、前記接続筒と前記吐出筒との間に設けられるとともに前記内容物の流路を開閉可能なベース部を有してもよい。
【００１２】
本発明に係るエアゾール容器用吐出具は、前記押下げレバーの押下げを阻止するロック位置に配置可能なストッパをさらに有してもよく、
前記ストッパが、前記指掛け部と前記操作部とに挟まれることで前記押下げレバーの押下げを阻止するストッパ本体部を有してもよい。
【００１３】
本発明に係るエアゾール容器用吐出具は、前記ストッパが、前記ロック位置において前記ストッパ本体部から前記ノズルの直下と前記固定部の直上とを通って前方に延在するロッドを有してもよい。
【００１４】
本発明に係るエアゾール容器用吐出具は、前記ストッパが、前記ストッパ本体部から延在する塗布体を有してもよい。
【００１５】
本発明に係るエアゾール容器用吐出具は、
前記カバーが、
前記マウンティングカップに固定される固定盤と、
前記固定盤に固定されるカバー本体部材と、
前記カバー本体部材に前記ヒンジを介して取り付けられる押下げレバー部材と、を有してもよい。
【００１６】
本発明に係るエアゾール容器用吐出具は、
前記カバーが、
前記マウンティングカップに固定されるカバー本体部材と、
前記カバー本体部材に前記ヒンジを介して取り付けられる押下げレバー部材と、を有してもよい。
【００１７】
本発明に係るエアゾール容器用吐出具は、前記エアゾール容器が、２本の前記ステムを有してもよい。
【発明の効果】
【００１８】
本発明によれば、押下げレバーに対する所要の押下げ操作力を低減することができるエアゾール容器用吐出具を提供することができる。
【図面の簡単な説明】
【００１９】
【図１】本発明の第１実施形態に係るエアゾール容器用吐出具をエアゾール容器に装着した状態で示す側面視での断面図である。
【図２】図１に示すエアゾール容器用吐出具のエアゾール容器に装着された状態における側面図である。
【図３】図１に示すエアゾール容器用吐出具の上面図である。
【図４】図１に示すエアゾール容器用吐出具のエアゾール容器に装着された状態における正面視での半断面図である。
【図５】図１に示すエアゾール容器用吐出具のエアゾール容器に装着された状態における背面図である。
【図６】図１に示すノズルを示す図であって、（ａ）は側面図、（ｂ）は上面図、（ｃ）は正面図である。
【図７】図１に示すノズルを成形時の状態で示す図であって、（ａ）は側面図、（ｂ）は上面図である。
【図８】図１に示すストッパを示す図であって、（ａ）は上面図、（ｂ）は側面図である。
【図９】図１に示す状態からストッパを取り外し、押下げレバーを押下げ操作したときの状態を示す断面図である。
【図１０】（ａ）は、図１に示す状態から内容物を吐出した後にノズルの洗浄のためにノズルをカバーから取り出すときの状態を示す側面図であり、（ｂ）は、カバーから取り出したノズルを開いて内部の流路を洗浄するときの状態を示す側面図である。
【図１１】（ａ）は、本発明の第１実施形態に係るエアゾール容器用吐出具の変形例をエアゾール容器に装着した状態で示す側面図であり、（ｂ）は、（ａ）に示すストッパの上面図である。
【図１２】本発明の第２実施形態に係るエアゾール容器用吐出具をエアゾール容器に装着した状態で示す側面視での断面図である。
【図１３】図１２に示すエアゾール容器用吐出具のエアゾール容器に装着された状態における側面図である。
【図１４】図１２に示すエアゾール容器用吐出具のエアゾール容器に装着された状態における正面視での半断面図である。
【図１５】図１２に示すエアゾール容器用吐出具のエアゾール容器に装着された状態における背面図である。
【図１６】図１２に示す状態からストッパを取り外し、押下げレバーを押下げ操作したときの状態を示す断面図である。
【図１７】図１２に示す状態から内容物を吐出した後にノズルの洗浄のためにノズルをカバーから取り出すときの状態を示す側面図である。
【発明を実施するための形態】
【００２０】
以下、図面を参照して、本発明の実施形態に係るエアゾール容器用吐出具について詳細に例示説明する。なお、本明細書、特許請求の範囲及び要約書においては、「前方」とは、ノズルの吐出口が向けられる側（図１における左側）を意味し、「後方」とは、「前方」の反対側を意味し、「側方」とは、前方側から見た場合（正面視）における左右両側を意味し、「上方」とは、エアゾール容器に対してノズルが位置する側（図１における上側）を意味し、「下方」とは、「上方」の反対側を意味するものとする。
【００２１】
図１において、符号１は、本発明の第１実施形態に係るエアゾール容器用吐出具（以下、単に「吐出具」と称す場合もある）を示し、符号２は、吐出具１が取り付けられるエアゾール容器（以下、単に「容器」と称す場合もある）を示す。吐出具１は、固定盤１０、カバー本体部材２０、押下げレバー部材３０、ノズル４０及びストッパ５０を有している。本実施形態では、固定盤１０、カバー本体部材２０及び押下げレバー部材３０でカバー６０が構成されている。固定盤１０、カバー本体部材２０、押下げレバー部材３０、ノズル４０及びストッパ５０は、それぞれ、例えば、合成樹脂材料による射出成形で形成することができるが、材料及び製法はこれに限られない。
【００２２】
容器２は、例えば金属製や合成樹脂製となる有底筒状の容器本体２ａの口部に、金属製のマウンティングカップ２ｂを、その巻締め部２ｃにおいて巻き締めして固着したものであり、その内部には２種類の内容物が別個に収容されている。図３に示すように、容器２は、それぞれマウンティングカップ２ｂの上面視にて略Ｄ字形状となる上面から上方に向けて突出する２本のステム２ｄを備えている。これらの２本のステム２ｄは、それぞれ容器本体２ａの対応する内容物の収容空間に連通しており、容器本体２ａに向けて押し下げられると内容物を吐出する。
【００２３】
固定盤１０は、図１に示すように、中央部に２本のステム２ｄを露出させる開口１１を有する天壁１２を備えている。天壁１２の外縁に一体に設けられた内側環状壁１３は、マウンティングカップ２ｂの略Ｄ字形状の突起部分の外周面に対応する形状（上面視で略Ｄ字形状）となっている。内側環状壁１３は、マウンティングカップ２ｂの突起部分に適合することで、マウンティングカップ２ｂに対する固定盤１０の回転を規制している。なお、マウンティングカップ２ｂの突起部分の形状は上面視で略Ｄ字形状以外の非円形状であってもよく、内側環状壁１３の形状もマウンティングカップ２ｂの突起部分の形状に合わせて変更することができる。
【００２４】
内側環状壁１３の下端には径方向外側に向けて延在する上部フランジ１４が一体に設けられている。上部フランジ１４の下面は、巻締め部２ｃの上面に当接している。また、上部フランジ１４の下面には、巻締め部２ｃに全周に亘って接する内部環状壁１４ａが一体に設けられている。内部環状壁１４ａの内面には係止爪１４ｂが周方向に向けて間欠状に設けられており、係止爪１４ｂがマウンティングカップ２ｂの巻締め部２ｃの下端縁部分にアンダーカット係合することで、固定盤１０はマウンティングカップ２ｂに固定されている。なお、係止爪１４ｂは、巻締め部２ｃの全周に亘って延びる環状の形態としてもよい。
【００２５】
内側環状壁１３の外周面には、内側環状壁１３の両側方及び後方において上部フランジ１４の上面から内側環状壁１３の上端まで延在する長方形状の板状をなす縦リブ１５が周方向に間隔を空けて複数設けられている。上部フランジ１４の外縁には、下方に向けて延在する外側環状壁１４ｃが一体に設けられており、外側環状壁１４ｃの下端からは径方向外側に向けて延在する下部フランジ１６が一体に設けられている。下部フランジ１６の外縁には、下方に向けて延在する円筒状の外壁１７が一体に設けられている。
【００２６】
図２及び図４に示すように、固定盤１０の外壁１７の外周面における右側部分には、径方向外側に向けて下方に傾斜する上面を有する水平方向に延在する上面視円弧状の係止凸部１８が設けられている。係止凸部１８の下面は水平に延在している。係止凸部１８は、固定盤１０の外壁１７の左側にも同様にして設けられている。
【００２７】
図１に示すように、固定盤１０の外壁１７及び下部フランジ１６における周方向の適宜の部分には、上下方向に延在する切り欠き１９が設けられている。なお、切り欠き１９は、周方向に間隔を空けて複数箇所に設けられてもよい。
【００２８】
カバー本体部材２０は、図１に示すように、固定盤１０に取り付けられている。カバー本体部材２０は、外周壁部２１、一対の側方カバー部２２及び指掛け部２３を有している。
【００２９】
外周壁部２１は固定盤１０に固定された筒状の部分であり、容器２の胴部と同等の径寸法を有しており、外壁１７の外側を覆っている。図２及び図４に示すように、外周壁部２１の両側部には、それぞれ外周壁部２１の一部がＵ字状のスリット（不図示）により区画されることで径方向に弾性変形によって変位可能な弾性板片２１ａが設けられている。図２においては一方のみを示すが、それぞれの弾性板片２１ａには、水平方向に延在するスリット状の係止孔２１ｂが設けられている。
【００３０】
カバー本体部材２０は、それぞれの弾性板片２１ａの下部が固定盤１０の外壁１７の対応する係止凸部１８の上面に押し付けられ、径方向外側に弾性変形して乗り越え、係止孔２１ｂが係止凸部１８の下面にアンダーカット係合することにより、固定盤１０に固定されている。本実施形態では、カバー本体部材２０は、このように固定盤１０に一端取り付けられた後は固定盤１０から容易に取り外されないように構成されている。しかし、カバー本体部材２０は、固定盤１０に着脱可能に取り付けられるように構成されてもよい。
【００３１】
図１に示すように、外周壁部２１の内周面には、固定盤１０の切り欠き１９に挿入される上下方向に延在する縦リブ２１ｃが設けられている。また、外周壁部２１の上部における前側部分及び後側部分には、それぞれ、径方向内側に水平に延在する上壁部２１ｄが一体に連ねて設けられている。上壁部２１ｄは、固定盤１０の天壁１２の上面に当接することで固定盤１０に対するカバー本体部材２０の下降を規制することができる。
【００３２】
図２〜図３に示すように、一対の側方カバー部２２は、それぞれ外周壁部２１の上方に左右両側に分けて一体に連ねて設けられている。ノズル４０は、これら一対の側方カバー部２２により、その左右の両側方の一部が覆われている。一対の側方カバー部２２は、それぞれ、上方及び側方に開放する側面視で凹形状の切欠き部２２ａを有している。図４に示すように、一対の側方カバー部２２は、それぞれ、外周壁部２１と略同径の円弧状の外周壁２２ｂと、外周壁２２ｂの左右方向内側で上下方向に延在する内壁２２ｃと、外周壁２２ｂ及び内壁２２ｃの凹形状部分を含む上端縁同士を一体に連ねる頂壁２２ｄと、外周壁２２ｂ及び内壁２２ｃの前端縁同士を一体に連結する前壁２２ｅと、を有する中空の形態を有している。内壁２２ｃの下端部は、固定盤１０の縦リブ１５の上面に当接することで固定盤１０に対するカバー本体部材２０の下降を規制することができる。図２〜図３に示すように、一対の側方カバー部２２のそれぞれの後端縁部には、その全高に亘る部分から後方に延在する縦リブ状の縦壁２２ｆが一体に連ねられて設けられている。
【００３３】
図１〜図４に示すように、一対の側方カバー部２２の前壁２２ｅの下端部における左右方向内側部分には、それぞれ、ヒンジ７０の軸受け壁７１が一体に連ねて設けられている。一対の軸受け壁７１は、それぞれ、左右方向に垂直な板状をなしており、左右方向に延在する側面視で円形の貫通孔で構成される軸受け部７２を有している。なお、軸受け部７２は貫通孔で構成されるものに限られず、例えば凹部で構成されてもよい。
【００３４】
図１〜図３及び図５に示すように、カバー本体部材２０の外周壁部２１の上部における後側部分には、下方から指掛け可能な指掛け部２３が一体に連ねて設けられている。指掛け部２３は、外周壁部２１の上部における後側部分から後方に延在する後方延在部２４と、後方延在部２４の後部から下方に延在する下方延在部２５と、で構成されている。
【００３５】
図３に示すように、後方延在部２４は、一対の側壁２４ａとこれらの下端部同士を一体に連ねる底壁２４ｂとで構成される後面視Ｕ字状をなす本体部２４ｃと、本体部２４ｃと外周壁部２１の上部における後部とを一体に連ねる前端壁部２４ｄと、で構成されている。前端壁部２４ｄは、外周壁部２１の上部における後部から後方に向けて水平に延在する板状をなしており、後方側の上壁部２１ｄの上面に面一に連なる上面を有している。前端壁部２４ｄの左右両側端部には、一対の側方カバー部２２の縦壁２２ｆの下端部が一体に連なっている。本体部２４ｃの一対の側壁２４ａの上面は、前端壁部２４ｄの上面に面一に連なっている。その一方、本体部２４ｃの底壁２４ｂの上面における前端縁部と、前端壁部２４ｄの上面における後端縁部との間には、図１に示すように、前後方向に対して垂直な段差面２４ｅが形成されている。後面視Ｕ字状をなす本体部２４ｃは、その前後方向中間部において左右方向の幅が後方に向けて徐々に減少している。
【００３６】
図３に示すように、後方延在部２４の本体部２４ｃの後端部において、底壁２４ｂは後方に開放する上面視凹形状の切欠き部を形成している。また、図５に示すように、当該本体部２４ｃの後端部には、当該切欠き部と面一な内面を有する上面視Ｕ字形状をなす下方延在部２５の本体部２５ａが一体に連ねて設けられている。下方延在部２５の本体部２５ａは、一対の側壁２５ｂとこれらの前端部同士を一体に連ねる底壁２５ｃとで構成されており、上下方向に亘って同一の左右方向幅を有している。下方延在部２５の本体部２５ａの下端部には、一対の側壁２５ｂと同一の前後方向幅を有するとともに一対の側壁２５ｂ同士を一体に連ねる下端壁部２５ｄが一体に連ねて設けられている。このように、下方延在部２５は、本体部２５ａと下端壁部２５ｄとで構成されている。
【００３７】
指掛け部２３は、本実施形態では左右対称の形状を有しているが、このような形状に限られない。また、指掛け部２３は、本実施形態では後方延在部２４と下方延在部２５とで構成されているが、このような形状に限られない。
【００３８】
図１に示すように、押下げレバー部材３０は、一対の側方カバー部２２の間においてヒンジ７０から一対の側方カバー部２２の上部まで延在する一対の前壁部３１を有している。一対の前壁部３１の下端部には、それぞれ、左右方向外側に向けて突出するとともに軸受け壁７１の軸受け部７２に挿入される軸体７３が一体に連ねて設けられている。この軸体７３と軸受け壁７１の軸受け部７２とで、ステム２ｄより前方に位置するヒンジ７０が構成されている。押下げレバー部材３０は、ヒンジ７０を中心として後端部を上下方向に旋回させるように回動することができる。
【００３９】
図１〜図４に示すように、一対の前壁部３１の上端部には、一対の側方カバー部２２の間において後方に延在する上壁３２が一体に連ねて設けられている。上壁３２の両側部には、それぞれ、一対の側方カバー部２２の切欠き部２２ａを上方から覆う庇部３３が一体に連ねて設けられている。上壁３２の下面には、一対の押圧用突起３４が左右方向に並べて設けられている。上壁３２の後部には、指掛け部２３の直上に配置される押下げ操作を受ける部分である操作部３５が設けられている。操作部３５は、上方に開放する凹形状をなしており、押下げ操作を与える指の形状に適合している。
【００４０】
上壁３２の両側部における庇部３３と操作部３５との間の部分には、それぞれ、一対の側方カバー部２２の縦壁２２ｆの後端部と係合可能な係合凸部３６が設けられている。一対の係合凸部３６は、それぞれ、押下げレバー部材３０を操作部３５が指掛け部２３の直上に配置される閉位置（図２参照）と押下げレバー部材３０がノズル４０の直上から離れる開位置（図１０参照）との間でヒンジ７０を中心として回動させるときに、縦壁２２ｆの後端部を押下げレバー部材３０の弾性変形によって乗り越えることができる。
【００４１】
ノズル４０は、図４に示すように、一対の接続筒４１を有し、これらの接続筒４１は対応するステム２ｄに嵌合されて接続されている。それぞれの接続筒４１が対応するステム２ｄに接続されることで、ノズル４０は容器２のステム２ｄに着脱可能に取り付けられている。
【００４２】
図６〜図７に示すように、接続筒４１の上方にはベース部４２が一体に設けられている。ベース部４２は略楕円形状の箱状となっており、その内部に区画される流路（ベース部内流路）４２ａを開閉可能に構成されている。ベース部４２の底壁には、それぞれの接続筒４１に対応した一対の入口孔４２ｂが設けられ、この入口孔４２ｂを通してステム２ｄから吐出された内容物がベース部内流路４２ａに流入することができるようになっている。なお、ベース部内流路４２ａの左右方向の中央部には隔壁４２ｃが設けられ、それぞれのステム２ｄから流入した２種類の内容物はベース部内流路４２ａをそれぞれ通過するようになっている。
【００４３】
ベース部４２の前方側には吐出筒４３が一体に設けられている。吐出筒４３は断面が横長のトラック形状となる筒状に形成されており、その内側空間は左右方向の中央部に設けられた隔壁４３ｂによって隔てられるとともにベース部内流路４２ａに連通されている。吐出筒４３の前端は吐出口４３ａとなっており、それぞれのステム２ｄからベース部内流路４２ａに流入した２種類の内容物は、吐出口４３ａから外部にそれぞれ吐出され、混合される。
【００４４】
ベース部４２は、上部ベース部４４と下部ベース部４５とで構成されている。下部ベース部４５の上面には環状のシール筒４５ａが一体に設けられており、このシール筒４５ａが上部ベース部４４の開口の内周縁に嵌合することでベース部内流路４２ａを閉塞することができる。なお、下部ベース部４５の下面に上記の一対の接続筒４１及び一対の入口孔４２ｂが設けられる一方、上部ベース部４４の前面に上記の吐出筒４３が設けられている。上部ベース部４４の上面には、一対の被押圧用突起４４ａが左右方向に並べて設けられている。一対の被押圧用突起４４ａは、それぞれ押下げレバー部材３０の押圧用突起３４からの押圧を受けることができる。
【００４５】
下部ベース部４５の下部には、枠体４６が一体に連ねて設けられている。枠体４６は、下部ベース部４５の下部における外周面に全周に亘って一体に連なるとともに水平に延在する底板４６ａと、底板４６ａの外周縁部に沿って立設された立板４６ｂと、で構成されている。枠体４６の後方部分には、上部ベース部４４の後方部分に一体に連なるヒンジ４７が一体に連ねて設けられている。枠体４６の前方部分には、上部ベース部４４の前方部分に設けられた係止片４４ｂと係合可能な係止凸部４６ｃが設けられている。したがって、ベース部４２は、係止片４４ｂと係止凸部４６ｃとの係合を解除させ、ヒンジ４７を弾性変形させることで、上部ベース部４４と下部ベース部４５とを分離させてベース部内流路４２ａを開放することができるようになっている。ベース部内流路４２ａを外部に開放させることで、使用後に、ノズル４０の内部すなわちベース部内流路４２ａ、吐出筒４３の内部及び入口孔４２ｂを容易に洗浄することができる。
【００４６】
枠体４６の両側部には、それぞれ、摘み部４８が一体に連ねて設けられている。一対の摘み部４８は、それぞれ、枠体４６から上方に延在する縦壁４８ａと、縦壁４８ａの上部から左右方向外側に延在する横壁４８ｂと、で構成されている。一対の摘み部４８の横壁４８ｂは、図２〜図４に示すように、一対の側方カバー部２２の切欠き部２２ａに配置されるようになっている。
【００４７】
図４に示すように、ノズル４０の両側面には、それぞれ上下方向に延びる凸リブ状の被案内部４９が一体に設けられている。一対の被案内部４９は、それぞれ、摘み部４８の縦壁４８ａの上端部から枠体４６の立板４６ｂの上下方向中間部まで延在している。一方、一対の側方カバー部２２の内壁２２ｃには、それぞれ上下方向に延びる凹溝状の案内部２２ｇが設けられており、ノズル４０の被案内部４９は、それぞれ対応する案内部２２ｇに係合している。案内部２２ｇの溝幅は被案内部４９の幅よりも僅かに広くなっており、案内部２２ｇに係合する被案内部４９は案内部２２ｇに案内されて上下方向に滑らかに移動することができる。これにより、ノズル４０は、上下方向に延びる凸リブ状の被案内部４９が凹溝状の案内部２２ｇにより案内されて、前後方向にブレを生じることなく、上下方向に真っ直ぐに移動することができる。
【００４８】
なお、本実施形態では、ノズル４０に凸リブ状の被案内部４９を設け、一対の側方カバー部２２の内壁２２ｃに凹溝状の案内部２２ｇを設けてこれらを係合させるようにしているが、これに限らず、ノズル４０に凹溝状の被案内部４９を設け、一対の側方カバー部２２の内壁２２ｃに上下方向に延びる凸リブ状の案内部２２ｇを設けてこれらを係合させるようにしてもよい。
【００４９】
図１に示すように、ストッパ５０は、押下げレバー部材３０の押下げを阻止するロック位置に配置することができる。ストッパ５０は、ストッパ５０がロック位置にあるときに指掛け部２３と操作部３５とに挟まれることで押下げレバー部材３０の押下げを阻止するストッパ本体部５１を有している。図８（ａ）〜（ｂ）に示すように、ストッパ本体部５１は、ストッパ５０がロック位置にあるときに左右方向に対して垂直な板状をなし、上面が操作部３５の下面に接する一方、下面が指掛け部２３の上面に接するようになっている。
【００５０】
図１に示すように、ストッパ本体部５１の前面における下端部よりやや上方の部分には、ストッパ５０がロック位置にあるときに、外周壁部２１の後方部分及び後方側の上壁部２１ｄの直上と、ノズル４０の一対の接続筒４１の間の部分の直下と、外周壁部２１の前方部分及び前方側の上壁部２１ｄの直上と、を通って前方に延在するロッド５２が一体に連ねて設けられている。ロッド５２の後端部とストッパ本体部５１の下面との間には、指掛け部２３の段差面２４ｅと同等の高さの段部５１ａが形成されており、ストッパ５０がロック位置にあるときに、ストッパ本体部５１の段部５１ａが指掛け部２３の段差面２４ｅに接し、ロッド５２の下面が外周壁部２１の後方部分及び後方側の上壁部２１ｄの上面と外周壁部２１の前方部分及び前方側の上壁部２１ｄの上面とに接し、ロッド５２の上面がノズル４０の下面に接するようになっている。したがって、ストッパ５０は、ストッパ本体部５１が指掛け部２３と操作部３５とに挟まれることに加えて、ロッド５２がノズル４０とカバー６０とに挟まれることによっても、押下げレバー部材３０の押下げを阻止することができる。また、ロッド５２は、ストッパ５０がロック位置にあるときに左右方向に扁平な形状を有しており、これにより、ロッド５２がノズル４０とカバー６０とに挟まれた際にストッパ本体部５１が左右方向に傾斜するようなストッパ５０の回転が生じることを阻止してストッパ機能を確保することができる。
【００５１】
ストッパ５０は、ストッパ５０がロック位置にある吐出具１のロック状態からストッパ本体部５１を摘んで後方に引くことにより、カバー６０から引き抜かれ、吐出具１を押下げレバー部材３０の押下げが許容されるロック解除状態にすることができる。ロッド５２の下面には、ストッパ５０がロック位置にあるときに後方側の上壁部２１ｄの前面と係合することでストッパ５０の後退を規制する係止突起５２ａが設けられている。
【００５２】
ストッパ本体部５１の後面には、後方に延在する内容物の塗布体５３が一体に連ねて設けられている。塗布体５３は、複数（本例では４本）の櫛歯で構成されている。
【００５３】
なお、吐出具１は、ストッパ５０を備えない構成であってもよい。
【００５４】
図１に示すように、カバー６０は、本実施形態では固定盤１０、外周壁部２１及び上壁部２１ｄで構成されている部分であって、容器２のマウンティングカップ２ｂに固定されてマウンティングカップ２ｂを包囲する固定部６１を有している。また、カバー６０は、本実施形態では押下げレバー部材３０で構成されている部分であって、指掛け部２３の直上に配置される操作部３５を備えるとともに、操作部３５に対する押下げ操作により、ステム２ｄより前方に位置するヒンジ７０を中心に回動することでノズル４０を押下げる押下げレバー６２を有している。
【００５５】
上記構成の吐出具１によれば、図１に示すロック状態からストッパ５０を引き抜いてロック解除状態にした後に、指掛け部２３に例えば人指し指を掛けながらその直上に位置する操作部３５を例えば親指で押下げることで、指掛け部２３と操作部３５を挟み込む安定した小さな力による操作により、図９に示すように、押下げレバー６２を所期した押下げ位置まで確実に押下げることができる。押下げレバー６２が押下げ操作されると、押下げレバー６２に設けられた押圧用突起３４によりノズル４０の被押圧用突起４４ａが下方に向けて押圧されてノズル４０は下方に押し下げられる。ノズル４０が下方に向けて押し下げられると、一対のステム２ｄが容器２の内部に向けて押し下げられ、それぞれのステム２ｄから内容物が吐出される。それぞれのステム２ｄから吐出された２種類の内容物は、ノズル４０のベース部内流路４２ａを介して吐出筒４３に流入し、吐出口４３ａから外部にそれぞれ吐出され、混合される。
【００５６】
また、本実施形態では、指掛け部２３が後方延在部２４と下方延在部２５とを有しているので、押下げレバー６２を押し下げる際に、後方延在部２４に指を掛けるだけでなく下方延在部２５にも指を掛けることができるため、容易かつ安定した押下げ操作を可能にすることができる。
【００５７】
本実施形態では、押下げレバー６２が閉位置と開位置との間で回動可能であり、ノズル４０がカバー６０と別体に形成され、押下げレバー６２が開位置にあるときにカバー６０から取り出し可能であるので、図１０（ａ）に示すように、使用後の洗浄時にノズル４０のみを取り外して容易に洗浄することができる。
【００５８】
また、本実施形態では、ノズル４０は、一対の側方カバー部２２の切欠き部２２ａに配置される一対の摘み部４８を有しているので、上記洗浄時に摘み部４８を摘まむことで容易にノズル４０を取り外すことができる。
【００５９】
また、本実施形態では、ノズル４０は、接続筒４１と吐出筒４３との間に設けられるとともに内容物の流路を開閉可能なベース部４２を有しているので、ノズル４０を取り外した後に、図１０（ｂ）に示すように、ベース部４２を開くことで内部の流路を容易に洗浄することができる。
【００６０】
本実施形態では、吐出具１が、図１に示すように、指掛け部２３と操作部３５とに挟まれることで押下げレバー６２の押下げを阻止するストッパ本体部５１を備えるストッパ５０を有しているので、ストッパ５０をロック位置に配置することで確実に押下げレバー６２の押下げを阻止することができる。
【００６１】
また、本実施形態では、ストッパ５０がロック位置においてストッパ本体部５１からノズル４０の直下と固定部６１の直上とを通って前方に延在するロッド５２を有しているので、ロッド５２がノズル４０と固定部６１とに挟まれることによっても押下げレバー６２の押下げを阻止することができるため、より確実な押下げレバー６２のロックが可能になる。
【００６２】
また、本実施形態では、ストッパ５０がストッパ本体部５１から延在する塗布体５３を有しているので、ストッパ５０を引き抜いた後、ロッド５２を把持して塗布体５３で内容物を塗布することができる。特に内容物が染毛剤である場合には、ストッパ５０を部分染め用のブラシとして活用することができる。
【００６３】
本実施形態では、カバー６０が固定盤１０、カバー本体部材２０及び押下げレバー部材と、を有しているので、少ない部品点数でカバー６０を構成することができる。また、固定盤１０を介した取り付け構造としたことで、複雑な形状であることから取り付け作業が難しいカバー本体部材２０を小さな力で容易に取り付けることが可能になる。
【００６４】
２本のステム２ｄを有する容器２では、それぞれのステム２ｄから吐出される２種類の内容物を混合して使用される場合が多いが、本実施形態ではこのような２本のステム２ｄを有する容器２に用いられた場合にも、上述のように、指掛け部２３と操作部３５を挟み込む安定した小さな力による操作により、押下げレバー６２を所期した押下げ位置まで確実に押下げて、２本のステム２ｄから吐出される内容物の良好な吐出バランスを実現することができる。
【００６５】
なお、吐出具１は、図１１（ａ）〜（ｂ）に示す変形例のように、ストッパ５０’が塗布体５３（図８（ａ）〜（ｂ）参照）を有さない構成としてもよい。このような構成によれば、ストッパ本体部５１’の前後方向幅を拡大することが可能となるので、ストッパ５０’をロック位置に配置する際やロック位置から引き抜く際などに把持部となるストッパ本体部５１’の面積を確保し易くすることができる。
【００６６】
次に、本発明の第２実施形態に係るエアゾール容器用吐出具について、図１２〜図１７を用いて例示説明する。図１２に示すように、本実施形態に係るエアゾール容器用吐出具１’は、第１実施形態の場合と比較すると、カバー６０’が固定盤１０（図１参照）を有していない点で構成が異なっており、その他の点では同様の構成となっている。なお、第１実施形態の場合と同様の構成については同一の符号を付して詳細な説明を省略する。
【００６７】
本実施形態では、カバー６０’は、容器２のマウンティングカップ２ｂに固定されるカバー本体部材２０’と、カバー本体部材２０’にヒンジ７０を介して取り付けられる押下げレバー部材３０と、を有している。
【００６８】
図１２〜図１５に示すように、カバー本体部材２０’は、外周壁部２１’、上壁部２１ｄ、固定壁部２６、側方カバー部２２及び指掛け部２３を有している。外周壁部２１’は、第１実施形態における外周壁部２１と比較すると、弾性板片２１ａ、係止孔２１ｂ及び縦リブ２１ｃを有していない点で構成が異なるが、その他の点では同様の構成となっている。
【００６９】
固定壁部２６は、外周壁部２１’の内周面、上壁部２１の下面、及び一対の側方カバー部２２の内壁２２ｃの下面に一体に連ねて設けられており、マウンティングカップ２ｂに取り付けられるようになっている。固定壁部２６は、マウンティングカップ２ｂの上面視略Ｄ字形状の突起部分の外周面とマウンティングカップ２ｂの上面とに適合してマウンティングカップ２ｂに対する下方及び回転方向へのカバー本体部材２０’の移動を規制する複数の規制リブ２６ａを有している。また、固定壁部２６は、巻締め部２ｃに全周に亘って接する内部筒壁２６ｂを有している。内部筒壁２６ｂの内面には係止爪２６ｃが周方向に向けて間欠状に設けられており、係止爪２６ｃがマウンティングカップ２ｂの巻締め部２ｃの下端縁部分にアンダーカット係合することで、カバー本体部材２０’はマウンティングカップ２ｂに固定されている。なお、係止爪２６ｃは、巻締め部２ｃの全周に亘って延びる環状の形態としてもよい。
【００７０】
このように、本実施形態では、カバー本体部材２０’の外周壁部２１’、上壁部２１ｄ及び固定壁部２６で、容器２のマウンティングカップ２ｂに固定されてマウンティングカップ２ｂを包囲する固定部６１’が構成されている。
【００７１】
上記構成の吐出具１’によれば、第１実施形態の場合と同様に、図１２に示すロック状態からストッパ５０を引き抜いてロック解除状態にした後に、指掛け部２３と操作部３５を挟み込む安定した小さな力による操作により、図１６に示すように、押下げレバー６２を所期した押下げ位置まで確実に押下げ、２本のステム２ｄから２種類の内容物をバランス良くノズル４０を通じて吐出し、混合することができる。また、使用後には図１７に示すように、押下げレバー６２を開位置に回動させてノズル４０のみを取り出し、容易に洗浄することもできる。
【００７２】
また、本実施形態では、カバー６０’がカバー本体部材２０’と押下げレバー部材３０とを有しているので、少ない部品点数でカバー６０’を構成することができる。また、カバー本体部材２０’を直接マウンティングカップ２ｂに取り付ける構造としたことで、部品点数の効果的な低減を可能にすることができる。
【００７３】
前述した本実施形態は、本発明の実施形態の一例にすぎず、発明の要旨を逸脱しない範囲で種々変更可能であることはいうまでもない。
【００７４】
前記の実施形態では、本発明を、２本のステムを有する容器に装着される吐出具に適用した場合を示したが、例えばシングルタイプの容器や二連式タイプの容器に装着される吐出具に本発明を適用してもよい。
【符号の説明】
【００７５】
１、１’  エアゾール容器用吐出具
２  エアゾール容器
２ａ  容器本体
２ｂ  マウンティングカップ
２ｃ  巻締め部
２ｄ  ステム
１０  固定盤
１１  開口
１２  天壁
１３  内側環状壁
１４  上部フランジ
１４ａ  内部環状壁
１４ｂ  係止爪
１４ｃ  外側環状壁
１５  縦リブ
１６  下部フランジ
１７  外壁
１８  係止凸部
１９  切り欠き
２０、２０’  カバー本体部材
２１、２１’  外周壁部
２１ａ  弾性板片
２１ｂ  係止孔
２１ｃ  縦リブ
２１ｄ  上壁部
２２  側方カバー部
２２ａ  切欠き部
２２ｂ  外周壁
２２ｃ  内壁
２２ｄ  頂壁
２２ｅ  前壁
２２ｆ  縦壁
２２ｇ  案内部
２３  指掛け部
２４  後方延在部
２４ａ  側壁
２４ｂ  底壁
２４ｃ  本体部
２４ｄ  前端壁部
２４ｅ  段差面
２５  下方延在部
２５ａ  本体部
２５ｂ  側壁
２５ｃ  底壁
２５ｄ  下端壁部
２６  固定壁部
２６ａ  規制リブ
２６ｂ  内部筒壁
２６ｃ  係止爪
３０  押下げレバー部材
３１  前壁部
３２  上壁
３３  庇部
３４  押圧用突起
３５  操作部
３６  係合凸部
４０  ノズル
４１  接続筒
４２  ベース部
４２ａ  ベース部内流路
４２ｂ  入口孔
４２ｃ  隔壁
４３  吐出筒
４３ａ  吐出口
４３ｂ  隔壁
４４  上部ベース部
４４ａ  被押圧用突起
４４ｂ  係止片
４５  下部ベース部
４５ａ  シール筒
４６  枠体
４６ａ  底板
４６ｂ  立板
４６ｃ  係止凸部
４７  ヒンジ
４８  摘み部
４８ａ  縦壁
４８ｂ  横壁
４９  被案内部
５０、５０’  ストッパ
５１、５１’  ストッパ本体部
５１ａ  段部
５２  ロッド
５２ａ  係止突起
５３  塗布体
６０、６０’  カバー
６１、６１’  固定部
６２  押下げレバー
７０  ヒンジ
７１  軸受け壁
７２  軸受け部
７３  軸体
【図１】
2020055554.tif 000003
【図２】
2020055554.tif 000004
【図３】
2020055554.tif 000005
【図４】
2020055554.tif 000006
【図５】
2020055554.tif 000007
【図６】
2020055554.tif 000008
【図７】
2020055554.tif 000009
【図８】
2020055554.tif 000010
【図９】
2020055554.tif 000011
【図１０】
2020055554.tif 000012
【図１１】
2020055554.tif 000013
【図１２】
2020055554.tif 000014
【図１３】
2020055554.tif 000015
【図１４】
2020055554.tif 000016
【図１５】
2020055554.tif 000017
【図１６】
2020055554.tif 000018
【図１７】
2020055554.tif 000019